(57)【要約】【課題】保持部の向きを略一定とすることのできる体組成計を提供する。【解決手段】本発明の体組成計は、表示部と被験者が保持するグリップ部とを有する保持部と、被験者が乗る台部と、前記保持部と前記台部を接続するコードと、を有し、前記グリップ部は保持部本体に対し回転自在に設けられており、被験者が前記グリップ部を保持した際に、前記保持部本体は、前記コードの張力によって、前記表示部が所定の向きを向くように回転することを特徴とする。【選択図】図３
2010057540.tif 000002
【特許請求の範囲】
【請求項１】
表示部と被験者が保持するグリップ部とを有する保持部と、
被験者が乗る台部と、
前記保持部と前記台部を接続するコードと、
を有し、
前記グリップ部は保持部本体に対し回転自在に設けられており、
被験者が前記グリップ部を保持した際に、前記保持部本体は、前記コードの張力によって、前記表示部が所定の向きを向くように回転する
ことを特徴とする体組成計。
【請求項２】
前記保持部本体と前記グリップ部の相対的な回転角度が制限されている
ことを特徴とする請求項１に記載の体組成計。
【請求項３】
前記保持部は、被験者を撮影するための撮像部を更に有し、
前記撮像部の視野角の中心方向は、前記表示部の表示面の法線方向に対して下側に１７°傾いた方向である
ことを特徴とする請求項１または２に記載の体組成計。
【請求項４】
前記コードは、前記保持部に対し、前記グリップ部の回転軸より下側に接続されていることを特徴とする請求項１〜３のいずれか１項に記載の体組成計。
【請求項５】
前記コードの長さを検出する検出手段と、
前記コードの長さに基づいて当該被験者の身体部位の長さを算出する算出手段を更に有する
ことを特徴とする請求項１〜４のいずれか１項に記載の体組成計。
【発明の詳細な説明】
【技術分野】
【０００１】
本発明は、体組成計に関する。
【背景技術】
【０００２】
近年、体組成（体脂肪率など）を測定する体組成計が普及し、商品価値を高めるために、体組成計に新たな機能を付加することがなされている。例えば、そのような技術は特許文献１，２に開示されている。
【０００３】
特許文献１には、被験者が保持する保持部、被験者が乗る台部、及び、保持部と台部を接続するコードを有する身体組成測定装置（体組成計）が開示されている。特許文献１に開示されている体組成計は、被験者が保持部を保持した際に、コードの長さと、コードと台部とのなす角度を検出し、当該長さと角度とから身体部位（腕部、脚部、体幹部）の長さを算出する。そのような構成にすることにより、体組成計に被験者による身体部位の長さの入力を省略することができるという付加価値を与えることができる。
【０００４】
特許文献２には、被験者を撮影するカメラと、被験者が両手で保持する保持部とを有する体組成計であって、当該保持部にカメラのシャッターボタンが設けられている体組成計が開示されている。そのような構成にすることにより、体組成計に被験者が自身の体型（外観）を確認することができるという付加価値を与えることができる。
【０００５】
しかしながら、特許文献１に開示された技術では、検出される長さ及び角度が、被験者が保持部を保持した際の保持部の向きに依存するため、身体部位の長さを正確に算出できない場合がある。
【０００６】
特許文献２に開示された技術では、カメラの向きが、被験者が保持部を保持した際の保持部の向きに依存するため、撮影に失敗してしまう場合がある（例えば、撮影された画像に顔の上半分しか写っていないなど）。
【０００７】
上述したように、身体部位の長さが誤っていたり、撮影に失敗したりすると、被験者は付加的な機能を満足に利用することができなくなってしまう。また、上記特許文献１，２に開示されている技術において、正確な身体部位の長さを得るためや、撮影を失敗しないためには、被験者は保持部の持ち方を意識しなくてはならない。
【特許文献１】特開２００６−２４７２０９号公報
【特許文献２】特開２００７−１９５７４４号公報
【発明の開示】
【発明が解決しようとする課題】
【０００８】
本発明は上記実情に鑑みてなされたものであって、その目的とするところは、保持部の向きを略一定とすることのできる体組成計を提供することにある。
【課題を解決するための手段】
【０００９】
上記目的を達成するために本発明は、以下の構成を採用する。
【００１０】
本発明の体組成計は、表示部と被験者が保持するグリップ部とを有する保持部と、被験者が乗る台部と、前記保持部と前記台部を接続するコードと、を有し、前記グリップ部は保持部本体に対し回転自在に設けられており、被験者が前記グリップ部を保持した際に、前記保持部本体は、前記コードの張力によって、前記表示部が所定の向きを向くように回
転することを特徴とする。
【００１１】
この構成によれば、グリップ部が保持部本体に対し回転自在に設けられているため、被験者がグリップ部を保持した際に、保持部本体は、コードの張力によって、表示部が所定の向きを向くように回転する。それにより、保持部の向きを略一定とすることができる。
【００１２】
前記保持部本体と前記グリップ部の相対的な回転角度が制限されていることが好ましい。このような構成にすることにより、保持部本体が一回転することを防ぐことができる。
【００１３】
前記保持部は、被験者を撮影するための撮像部を更に有し、前記撮像部の視野角の中心方向は、前記表示部の表示面の法線方向に対して下側に１７°傾いた方向であることが好ましい。このような構成にすることにより、被験者がグリップ部を保持して腕を前方に突き出した際に、撮像部は被験者の顔を確実に捉えることができる。
【００１４】
前記コードは、前記保持部に対し、前記グリップ部の回転軸より下側に接続されていることが好ましい。このような構成にすることにより、保持部本体を意図どおりに（表示部が所定の向きを向くように）回転させることができる。
【００１５】
前記コードの長さを検出する検出手段と、前記コードの長さに基づいて当該被験者の身体部位の長さを算出する算出手段を更に有することが好ましい。上述したように、本発明の体組成計によれば、保持部の向きを略一定とすることができる。また、保持部の向きが略一定であれば、コードと台部とのなす角度は略一定となる。そこで、このような構成にすることにより、身体部位の長さを精度良く算出することができる。
【発明の効果】
【００１６】
本発明によれば、保持部の向きを略一定とすることのできる体組成計を提供することができる。
【発明を実施するための最良の形態】
【００１７】
＜第１の実施形態＞
以下に、本実施形態に係る体組成計について図を用いて説明する。
【００１８】
（構成）
まず、本実施形態に係る体組成計の大まかな構成について説明する。図１は、本実施形態に係る体組成計の大まかな構成の一例を示す模式図である。
【００１９】
図１に示すように、本実施形態に係る体組成計は、保持部１０１、台部１０２、保持部１０１と台部１０２を接続するコード１０３などを有する。
【００２０】
保持部１０１は、被験者が保持するグリップ部１１１、表示部１１２などを有する。
【００２１】
グリップ部１１１には、生体インピーダンス測定用の電極（手用電極１２１ａ〜１２１ｄ）が設けられており、生体インピーダンスは被験者がグリップ部１１１を保持した状態で測定される。また、グリップ部１１１は、保持部本体１３１に対し回転自在に設けられている。
【００２２】
具体的には、保持部本体１３１の横方向に沿った軸部１３２が、保持部本体１３１を貫通するように設けられており、軸部１３２の両端にグリップ部１１１が設けられている。また、保持部本体１３１と軸部１３２との間の摩擦係数は、ボールベアリングなどの軸受けを用いることにより小さくされている。それにより、グリップ部１１１は、保持部本体
１３１に対し滑らかに回転することができる。
【００２３】
なお、グリップ部１１１の回転機構は上記機構に限らない。グリップ部１１１が保持部本体１３１に対し回転することができればよい。例えば、保持部本体１３１に保持部本体１３１の側面から突出するような軸部を設け、当該軸部の軸周りを覆うようにグリップ部１１１を設けてもよい。
【００２４】
表示部１１２は、体組成測定前に各種設定を行うためのガイドや測定結果などを表示する。表示部１１２としては、液晶パネルや有機ＥＬパネルなどを適用すればよい。
【００２５】
台部１０２は、体重を測定するための荷重センサ１２２、生体インピーダンス測定用の電極（足用電極１２１ｅ〜１２１ｈ）などを有する。被験者は、体重や体組成を測定する際に、台部１０２に乗る。
【００２６】
コード１０３は、保持部１０１と台部１０２の間の距離に応じて、伸縮自在に設けられている。例えば、保持部１０１または台部１０２はコード１０３を巻き取るリールを有しており、保持部１０１と台部１０２の間の距離が短くなると、コード１０３は、短くなった分だけ当該リールに巻き取られる。一方、保持部１０１と台部１０２の間の距離が長くなると、リールに巻き取られたコード１０３が、長くなった分だけ外へ引き出される。なお、本実施形態では、被験者がグリップ部１１１を保持してコード１０３を引き出した際に、コード１０３には、張力が作用するものとする。
【００２７】
本実施形態では、グリップ部１１１は、保持部本体１３１に対し回転自在に設けられているため、被験者がグリップ部１１１を保持してコード１０３を引き出した際に、保持部本体１３１は、コード１０３の張力により回転する。
【００２８】
また、本実施形態では、コード１０３が、保持部１０１に対し、グリップ部１１１の回転軸より下側に接続されているため、保持部本体を意図どおりに回転させることができる。保持部本体１３１の回転の機構については後で詳しく説明する。
【００２９】
次に、本実施形態に係る体組成計の構成をより詳細に説明する。図２は、本実施形態に係る体組成計の機能・構成の一例を示すブロック図である。なお、図１を用いて説明した機能と同じ機能については、同じ符号を付け、その説明を省略する。
【００３０】
図２に示すように、保持部１０１は、操作部２０１、電源２０２、記憶部２０３、インピーダンス測定部２０４、制御部２０５を更に有する。
【００３１】
操作部２０１は、電源のオン／オフ、測定の開始／中断、身体情報（年齢、性別、身長など）の入力などの操作を行うための操作ボタンである。なお、操作部２０１は、タッチパネル方式の操作パネルとして表示部１１２上に設けられていてもよい。
【００３２】
電源２０２は、保持部１０１及び台部１０２に対し、それらを駆動するための電力を供給するための電源である。電源２０２は、家庭用電源であってもよいし、バッテリーなどであってもよい。
【００３３】
記憶部２０３は、身体情報（年齢、性別、身長など）、測定結果などを記憶する記憶装置である。記憶部２０３としては、不揮発性メモリなどの種々の記憶媒体を適用すればよい。
【００３４】
インピーダンス測定部２０４は、インピーダンスを測定する機能である。具体的には、
インピーダンス測定部２０４は、手用電極及び足用電極を用いて電極間に微小電流を流し、インピーダンスを測定する。
【００３５】
制御部２０５は、上述した各機能を制御する機能である。
【００３６】
（保持部本体の回転動作）
以下に、被験者がグリップ部１１１を保持した際の、保持部本体１３１の回転動作について詳しく説明する。
【００３７】
上述したように、本実施形態では、グリップ部１１１は、保持部本体１３１に対し回転自在に設けられているため、被験者がグリップ部１１１を保持した際に、保持部本体１３１は、コード１０３の張力により回転する。具体的には、保持部本体１３１は、表示部１１２の表示面とコード１０３とが平行になるように回転する（図３）。
【００３８】
独立行政法人産業技術総合研究所デジタルヒューマン研究センタ発行の「ＡＩＳＴ人体寸法データベース１９９１−９２解説書」によれば、青年群男性の身長は、最高で１８７．７ｃｍ、最低で１５１．５ｃｍ、平均で１７１．４ｃｍと報告されている。また、腕の長さは、最も身長の高い人で９２．７ｃｍ、最も身長の低い人で７０．５ｃｍ、平均で８１．９ｃｍと報告されている。（直立したときの）地面から腕の位置までの高さは、最も身長の高い人で１５６．７ｃｍ、最も身長の低い人で１２３．４ｃｍ、平均で１４０．２ｃｍと報告されている。
【００３９】
それらのデータを用いて、被験者がグリップ部１１１を保持した際のコード１０３と人間の身長方向とのなす角度θ１を算出したところ、当該角度θ１が人によらず略一定（約３０°）となることが確認された。具体的には、当該角度θ１は、最も身長の高い人で３０．６１°、最も身長の低い人で２９．７４°、平均で３０．２９°と算出された。コード１０３と表示面とは平行であるため、表示面と人間の身長方向のなす角度も約３０°となる。それにより、表示部１１２（保持部本体）が、所定の向きを向くため、表示部が常に被験者の顔を向くようにすることができる。
【００４０】
一方、従来技術のように、グリップ部１１１が回転しないように設けられている場合では、図４に示すように、コード１０３と表示面とが平行にならない場合があり、被験者は、表示部を自分の顔に向けるためには、そのような向きになるようにグリップ部を保持しなくてはならない。
【００４１】
以上述べたように、本実施形態に係る体組成計では、グリップ部１１１を保持部本体１３１に対して回転自在に設けることにより、表示部１１２を、所定の向きに向けることができる（保持部１０１を略一定とすることができる）。
【００４２】
＜第２の実施形態＞
第１の実施形態に係る体組成計には、保持部本体１３１とグリップ部１１１の相対的な回転角度について特に制限を設けていなかった。そのため、第１の実施形態に係る体組成計では、保持部本体が一回転してしまう虞があった。グリップ部１１１が自由に回転すると、グリップ部１１１の磨耗や故障（特に、手電極と保持部本体との間の電気的接続の不良）をまねく虞がある。
【００４３】
そこで、本実施形態では、第１の実施形態に係る体組成計において、保持部本体１３１とグリップ部１１１の相対的な回転角度に制限を設けた場合について説明する。なお、上記実施形態と同様の構成等については説明を省略する。
【００４４】
図５に上記回転角度を制限するための機構の一例を示す。図５の例は、保持部本体１３１の側面から軸部５１が突出しており、当該軸部５１の軸周りを覆うようにグリップ部１１１が設けられている場合の例である。図５の例では、軸部５１の軸周りの面が所定範囲だけ（回転させたい分だけ）露出するように、グリップ部の一部が取り除かれている。そして、軸部５１が、当該露出位置に突出部５２を有することにより回転角度が制限される。なお、図５の機構はあくまで一例であり、回転角度を制限することができればどのような機構であってもよい。例えば、グリップ部１１１の一部は、軸部５１が露出するように取り除かれていなくてもよい。グリップ部１１１の軸部５１と接触する側の面に切り欠きを設けてもよい。そして、軸部５１の当該切り欠きに対応する位置に突出部５２を設けることにより回転角度を制限してもよい。
【００４５】
以上述べたように、本実施形態に係る体組成計では、保持部本体１３１とグリップ部１１１の相対的な回転角度に制限を設けることにより、保持部本体１３１が一回転することを防ぐことができる。
【００４６】
＜第３の実施形態＞
本実施形態では、上記第１，２の実施形態に係る体組成計において、保持部１０１が被験者を撮影するための撮像部を更に有する場合について説明する。撮像部としては、光学系と撮像素子（ＣＣＤ、ＣＭＯＳセンサなど）を備えるデジタルカメラなどを適用すればよい。なお、上記実施形態と同様の構成等については説明を省略する。
【００４７】
第１の実施形態で述べたように、図１に示すような体組成計では、グリップ部１１１を保持部本体１３１に対して回転自在に設けることにより、表示部１１２を、所定の向きに向けることができる。そのため、被験者がグリップ部１１１を保持した際に、保持部１０１に設けられた撮像部も所定の向きを向くことになる。即ち、撮像部を保持部１０１に取り付ける際に、撮像部の視野の方向（視野角の中心方向）を所定の向きに規定することで、目的とする箇所の撮影画像を確実に得ることができるようになる。本実施形態では、撮像部の視野角の中心方向を、表示部１１２の表示面の法線方向に対して下側に１７°傾ける構成とした。
【００４８】
上述した「ＡＩＳＴ人体寸法データベース１９９１−９２解説書」によれば、（直立したときの）地面から目の位置までの高さは、最も身長の高い人で１７７．７ｃｍ、最も身長の低い人で１３９．９ｃｍ、平均で１５９．６ｃｍと報告されている。当該データ及び上述した他のデータを用いて、被験者がグリップ部１１１を保持した際の腕の伸び方向と、手の位置と目の位置とを結ぶ線とのなす角度θ２（図６参照）を算出したところ、当該角度θ２が人によらず略一定（約１３°）となることが確認された。具体的には、当該角度θ２は、最も身長の高い人で１２．７６°、最も身長の低い人で１３．１７°、平均で１３．３３°と算出された。また、表示面の法線方向と腕の伸び方向とのなす角度θ３（図６参照）は、θ１と等しくなる。それにより、撮像部の視野角の中心方向を表示面の法線方向に対して下側に１７°傾いた方向とすることにより、当該視野角の中心方向が被験者の目の方向を向くため、確実に被験者の顔を捉えることができるようになる。
【００４９】
以上述べたように、本実施形態に係る体組成計では、保持部に対し、視野角の中心方向が表示面の法線方向に対して下側に１７°傾いた方向になるように撮像部を設けることにより、確実に被験者の顔画像を得ることができる（撮像部で被験者の顔を確実に捉えることができる）。
【００５０】
＜第４の実施形態＞
本実施形態では、体組成計が、コード１０３の長さ（例えば、保持部本体と台部との間のコード１０３の長さ）を検出する検出部と、当該検出された長さに基づいて被験者の身
体部位の長さ（腕、脚、胴体などの長さ、身長など）を算出する算出部を有する場合について説明する。なお、上記実施形態と同様の構成等については説明を省略する。算出部は、制御部の一機能であってもよい。身体部位の長さは、例えば特開２００６−２４７２０９号公報に開示されているような方法により算出すればよい。
【００５１】
検出部としては、コード１０３の長さを検出することができればどのようなものを用いてもよい。例えば、保持部１０１または台部１０２がコード１０３を巻き取るリールを有する場合、検出部として回転センサを用いればよい。具体的には、回転センサにより、コード１０３の長さとして、当該リールの回転変位などを検出すればよい。
【００５２】
第１の実施形態で述べたように、図１に示すような体組成計では、グリップ部１１１を保持部本体１３１に対して回転自在に設けることにより、コード１０３と人間の身長方向とのなす角度θ１を略一定とすることができる。そのため、従来技術で問題とされている検出される長さの変動を抑制することができる。その結果、従来技術よりはるかに高い精度で身体部位を算出することができる。
【００５３】
例えば、従来の体組成計では、図７に示すように、表示面とコードが平行になるようにグリップ部を保持した場合と、表示面が水平になるようにグリップ部を保持した場合とで、体幹部の長さ（胴体と脚を合わせた長さ）や腕の長さにずれ（誤差）が生じてしまう。具体的には、「ＡＩＳＴ人体寸法データベース１９９１−９２解説書」で報告されている平均値を用いた場合、表示面とコードが平行になるようにグリップ部を保持した場合と、表示面が水平になるようにグリップ部を保持した場合とで、体幹部の長さは１０ｃｍ以上ずれてしまう。一方、本実施形態に係る体組成計ではそのようなずれは生じない。
【００５４】
また、本実施形態に係る体組成計によれば、角度θ１が略一定のため、従来技術のように角度センサを備える必要は無い。そのため、構造を簡略し、製造コストを低減することができる。
【００５５】
以上述べたように、本実施形態に係る体組成計によれば身体部位の長さを精度良く算出することができる。
【図面の簡単な説明】
【００５６】
【図１】図１は、第１の実施形態に係る体組成計の大まかな構成の一例を示す模式図である。
【図２】図２は、第１の実施形態に係る体組成計の機能・構成の一例を示すブロック図である。
【図３】図３は、第１の実施形態に係る体組成計における、保持部本体の回転動作を示す図である。
【図４】図４は、被験者が従来の体組成計のグリップ部を保持する様子を示す図である。
【図５】図５は、第２の実施形態に係る体組成計における、保持部本体とグリップ部の相対的な回転角度を制限するための機構の一例を示す図である。
【図６】図６は、第３の実施形態に係る体組成計における、撮像部の向きを説明するための図である。
【図７】図７は、従来技術において生じる身体部位の長さのずれを示す図である。
【符号の説明】
【００５７】
５１，１３２  軸部
５２  突出部
１０１  保持部
１０２  台部
１０３  コード
１１１  グリップ部
１１２  表示部
１２１ａ〜ｄ  手用電極
１２１ｅ〜ｈ  足用電極
１２２  荷重センサ
１３１  保持部本体
２０１  操作部
２０２  電源
２０３  記憶部
２０４  インピーダンス測定部
２０５  制御部
【図１】
2010057540.tif 000003
【図２】
2010057540.tif 000004
【図３】
2010057540.tif 000005
【図４】
2010057540.tif 000006
【図５】
2010057540.tif 000007
【図６】
2010057540.tif 000008
【図７】
2010057540.tif 000009